(57)【特許請求の範囲】
【請求項１】
鍵盤楽器の上面を覆うように平面的に設けられ、上下方向に貫通する孔を前端部に有する屋根本体と、
この屋根本体の左右方向の全体にわたって延び、前記屋根本体の上面の前端部を覆う取付部、この取付部の下側の前記屋根本体の孔に対応する位置に一体に設けられた締め付け部、および前記取付部の前端から下方に延びるカバー部を有する屋根前付と、
前記屋根本体の下方から前記孔に通され、前記屋根前付の前記締め付け部に対して締め付けられることにより、前記締め付け部および前記取付部の少なくとも一方との間に前記屋根本体を挟持した状態で、前記屋根前付を前記屋根本体に固定する固定具と、
を備えることを特徴とする鍵盤楽器の屋根。
【請求項２】
前記屋根前付の前記締め付け部は、前記取付部の下面に固定されたナットで構成され、前記固定具は、当該ナットに螺合するねじで構成されていることを特徴とする請求項１に記載の鍵盤楽器の屋根。
【発明の詳細な説明】
【０００１】
【発明の属する技術分野】
本発明は、屋根前付を前端部に備える鍵盤楽器の屋根に関する。
【０００２】
【従来の技術】
従来、この種の屋根として、例えば図２に示すような電子ピアノ（図示せず）の天屋根が知られている。この天屋根１０は、その前端部が閉状態のスライド式の鍵盤蓋（図示せず）の後端部の上側にオーバーラップするように、配置されており、屋根本体１１と、この屋根本体１１の前端部に取り付けられた屋根前付１２とを備えている。この屋根本体１１は、木質板で構成されている。
【０００３】
また、屋根前付１２は、屋根本体１１を装飾およびカバーするためのものであり、薄い金属板を折り曲げることにより形成された取付部１２ａとカバー部１２ｂから一体に構成されている。屋根前付１２は、屋根本体１１の左右（図面の奥行き方向）の幅と同様の幅を有している。取付部１２ａは、断面Ｌ字形であり、その内面が屋根本体１１の前面および下面に当接した状態で、金属製の木ねじ１３によって屋根本体１１に下方からねじ止めされている。また、カバー部１２ｂは、この取付部１２ａの上端から前方に延び、その前端から斜め前下がりに延びており、これにより、屋根本体１１と鍵盤蓋との間の空間を目隠ししている。
【０００４】
【発明が解決しようとする課題】
上記従来の天屋根１０によれば、屋根前付１２は上記形状の薄い金属板で構成されているので、下向きの力を上方から加えられると、下方に変形しやすい。このため、屋根前付１２は、例えばカバー部１２ｂが手で間違って下方に押されると、図２（ｂ）に示すように、屋根本体１１の前面との間に上方に開口する隙間を生じることがある。また、屋根前付１２は、木ねじ１３が軟らかい木質の屋根本体１１に下方からねじ込まれることにより、屋根本体１１に固定されているので、上記のような下向きの力が加えられると、木ねじ１３が屋根本体１１に対して緩むことにより、屋根前付１２が下方に傾いたり、屋根本体１１から脱落したりすることがある。
【０００５】
本発明は、上記課題を解決するためになされたもので、外力が作用することによる屋根前付の緩みおよび離脱や変形を生じさせることなく、強固に組み立てることができる鍵盤楽器の屋根を提供することを目的とする。
【０００６】
【課題を解決するための手段】
この目的を達成するために、請求項１の鍵盤楽器の屋根は、鍵盤楽器の上面を覆うように平面的に設けられ、上下方向に貫通する孔を前端部に有する屋根本体と、この屋根本体の左右方向の全体にわたって延び、屋根本体の上面の前端部を覆う取付部、この取付部の下側の屋根本体の孔に対応する位置に一体に設けられた締め付け部、および取付部の前端から下方に延びるカバー部を有する屋根前付と、屋根本体の下方から孔に通され、屋根前付の締め付け部に対して締め付けられることにより、締め付け部および取付部の少なくとも一方との間に屋根本体を挟持した状態で、屋根前付を屋根本体に固定する固定具と、を備えることを特徴とする。
【０００７】
この鍵盤楽器の屋根によれば、固定具が屋根本体の下方から孔に通され、屋根前付の締め付け部に締め付けられることにより、締め付け部および／または取付部と固定具との間に屋根本体を挟持した状態で、屋根前付は屋根本体に固定される。このように、固定具を締め付けることにより、固定具と屋根前付により屋根本体を上下方向から挟持した状態で、屋根前付を屋根本体に強固に固定することができる。これにより、例えば下向きまたは上向きの外力が屋根前付に作用したときでも、屋根前付の緩みおよび離脱や変形などが生じにくく、強固に組み立てることができるとともに、外観を維持することができる。
【０００８】
請求項２の発明は、請求項１に記載の鍵盤楽器の屋根において、屋根前付の締め付け部は、取付部の下面に固定されたナットで構成され、固定具は、ナットに螺合するねじで構成されていることを特徴とする。
【０００９】
この鍵盤楽器の屋根によれば、ナットおよびねじという加工が比較的、容易で、簡易な構造の部品により、上述した作用効果を得ることができる。また、時間の経過に伴い、ねじがゆるんだ場合には、これを締め直すことにより、屋根前付を屋根本体に強固に固定された状態に復帰させることができる。
【００１０】
【発明の実施の形態】
以下、図面を参照しながら、本発明の一実施形態に係る鍵盤楽器の屋根について説明する。図１は、本発明を、電子ピアノ（図示せず）の天屋根に適用した例を示している。この天屋根１は、その前端部が閉状態のスライド式の鍵盤蓋（図示せず）の後端部の上側にオーバーラップするように、配置されており、屋根本体２と、この屋根本体２の前端部に取り付けられた屋根前付３とを備えている。
【００１１】
この屋根本体２は、平面矩形の平らな木質板で構成され、電子ピアノの上面を平面的に覆うように、ピアノ本体（図示せず）の上端部に水平に取り付けられている。屋根本体２の前端部は、屋根本体２の左右（図中の奥行き方向）の端部間にわたって、屋根本体２の他の部分よりも所定高さ分、低く形成されており、この部分が屋根前付取付部２ａになっている。
【００１２】
この屋根前付取付部２ａには、複数の孔４が形成されている。これらの複数の孔４は、屋根前付取付部２ａの複数の所定位置に左右方向に互いに間隔を存してそれぞれ配置され、屋根前付取付部２ａを上下方向に貫通している。各孔４は、断面円形で、後述するねじ５を通すためのねじ挿入部４ａと、このねじ挿入部４ａよりも大径のナット収容部４ｂとを備えている。ねじ挿入部４ａは屋根前付取付部２ａの下面に、ナット収容部４ｂは屋根前付取付部２ａの上面にそれぞれ開口している。
【００１３】
一方、屋根前付３は、装飾用およびカバー用のものであり、屋根本体２と同じ幅の金属製（例えば鋼製）の薄板を曲げ加工することにより形成された取付部３ａおよびカバー部３ｂで構成されている。この取付部３ａは、平らで、屋根本体２の屋根前付取付部２ａと他の部分との寸法差に等しい厚さを有し、下面には、複数のナット３ｃ（締め付け部）が溶接により一体に取り付けられている。
【００１４】
これらの複数のナット３ｃはそれぞれ、上記複数の孔４に対応する位置に配置され、屋根前付３と同材質で構成されている。上記ナット収容部４ｂは、各ナット３ｃの最大幅部分よりも径が若干大きく、かつおなじ高さに（もしくは若干深く）形成されている。取付部３ａは、ナット３ｃがナット収容部４ｂに収容された状態で、屋根前付取付部２ａに当接している。また、固定具としての前記ねじ５が、孔４を通り、ナット３ｃに螺合し、締め付けられている。これにより、取付部３ａは、屋根本体２と上面が面一の状態で、かつねじ５と、取付部３ａおよびナット３ｃとの間に屋根本体２を挟持した状態で、屋根前付取付部２ａに固定されている。このねじ５も、屋根前付３およびナット３ｃと同材質で構成されている。
【００１５】
また、カバー部３ｂは、取付部３ａの前端から斜め前下がりに延びており、これにより、屋根本体１１と鍵盤蓋との間の空間を目隠ししている。また、カバー部３ｂの先端部は、安全のために後方に折り曲げられている。
【００１６】
以上のように構成された本実施形態の天屋根１によれば、ねじ５を屋根本体２の下方から孔４に通し、屋根前付３のナット３ｃに螺合させ、締め付けることにより、ねじ５と、ナット３ｃおよび取付部３ａとの間に屋根本体２を挟持した状態で、屋根前付３が屋根本体２に固定されている。このように、ねじ５を締め付けることにより、ねじ５と屋根前付３のナット３ｃおよび取付部３ａとにより屋根本体２を上下から挟持した状態で、屋根前付３を屋根本体２に強固に固定することができる。これにより、例えば下向きまたは上向きの外力が屋根前付３に作用したときでも、屋根前付３の緩みおよび離脱や変形などが生じにくく、強固に組み立てることができるとともに、外観を維持することができる。
【００１７】
また、ねじ５およびナット３ｃという入手が容易で、簡易な構造の部品を利用して、上記効果を得ることができる。さらに、時間の経過に伴い、ねじ５がゆるんだときには、これを締め直すことにより、屋根前付３を屋根本体２に強固に固定された状態に復帰させることができる。
【００１８】
なお、屋根前付３を屋根本体２に固定するための固定具および締め付け部は、ねじ５およびナット３ｃに限らず、固定具を締め付け部に締め付けることにより、固定具と締め付け部などとの間に屋根本体を挟持した状態で、屋根前付を屋根本体に固定することができるものであればよく、例えば屋根前付の取付部の下側に形成した穴にリベットを打ち込み、リベットの先端部をかしめるなどの構成でもよい。
【００１９】
【発明の効果】
以上のように、本発明の鍵盤楽器の屋根によれば、外力が作用することによる屋根前付の緩みおよび離脱や変形を生じさせることなく、強固に組み立てることができる。
【図面の簡単な説明】
【図１】（ａ）本発明の一実施形態に係る鍵盤楽器の屋根の一部を破断した側面図と（ｂ）屋根前付の側面図である。
【図２】（ａ）従来の鍵盤楽器の屋根の一部を破断した側面図と（ｂ）屋根前付が変形した状態を示す側面図である。
【符号の説明】
１    天屋根（屋根）
２    屋根本体
３    屋根前付
３ａ  取付部
３ｃ  ナット（締め付け部）
４    孔
５    ねじ（固定具）
【図１】
0004162072.tif 000002
【図２】
0004162072.tif 000003